(57)【特許請求の範囲】
【請求項１】
複数の端末を収容する公衆網または専用線を収容するとともに、内線端末を収容する第１の通信機器と、この第１の通信機器に一端側が接続されるとともに、複数のコンピュータ端末を収容するコンピュータネットワークと、このコンピュータネットワークの他端側に接続され、前記第１の通信機器と同一機能を有する第２の通信機器とを具備し、
前記第１,第２の通信機器は、
前記公衆網,専用線及び内線端末を接続した複数チャネルからなる通話路ハイウェイを含む複数の通信回線を収容し、各通信回線の接続を行なう交換手段と、
前記コンピュータネットワークと前記通話路ハイウェイとを接続し、前記コンピュータネットワークと前記通話路ハイウェイとの間で伝送データの形式を変換するとともに、前記コンピュータネットワークを介して相手側通信機器との間でデータの送受信を行なうデータ形式変換手段と、
前記コンピュータネットワークを介して相手側通信機器に対して少なくとも発呼及び着信応答に関する情報を含む呼制御情報の送受を行なうとともに、発信側の端末及び着信先の端末のデータ種別に応じて、前記コンピュータネットワークを使用した接続を行なうように前記交換手段及び前記データ形式変換手段を制御する交換制御手段とを具備し、
前記第１の通信機器に収容された公衆網または専用線の有する端末もしくは内線端末から前記第２の通信機器に収容された公衆網または専用線の有する端末もしくは内線端末へ発信した場合に、前記コンピュータネットワークを介して内線端末相互間を接続することを特徴とする通信システム。
【請求項２】
前記交換制御手段は、
前記コンピュータネットワークを介して他の通信機器と接続された呼を一意に識別する番号を記憶しており、少なくとも該呼の番号及び前記通話路ハイウェイのタイムスロット番号を対応づけた第１の管理テーブルと、
この第１の管理テーブルを参照して前記コンピュータネットワークを使用した相手側通信機器との接続及び前記通話路ハイウェイとの間のデータ伝送の制御を行なうように前記交換手段及び前記データ形式変換手段を制御する手段とを具備することを特徴とする請求項１記載の通信システム。
【請求項３】
前記交換制御手段は、前記通信機器に付された前記コンピュータネットワーク用の通信機器識別アドレスとしてＩＰアドレスとＴＣＰポートあるいはＵＤＰポートとで構成し、前記コンピュータネットワークを介して他の通信機器と接続された呼毎に異なるポートを付与された場合に、前記呼毎に割り当てたＴＣＰポート番号あるいはＵＤＰポート番号と前記通話路ハイウェイのタイムスロット番号とを対応づけた第２の管理テーブルと、
この第２の管理テーブルを参照して前記コンピュータネットワークを使用した相手側通信機器との接続及び前記通話路ハイウェイとの間のデータ伝送の制御を行なうように前記交換手段及び前記データ形式変換手段を制御する手段とを具備することを特徴とする請求項１記載の通信システム。
【請求項４】
前記交換制御手段は、前記通信機器に収容された前記内線端末及び前記コンピュータネットワーク上の前記コンピュータ端末に付与された電話番号と、前記内線端末及び前記コンピュータネットワーク上の前記コンピュータ端末を収容する前記通信機器の前記コンピュータネットワーク用の通信機器識別アドレスとを対応づける第４の管理テーブルと、
自己通信機器に収容された前記公衆網,前記専用線または前記内線端末およびコンピュータ端末から発信した場合の着信先端末が、自通信機器に収容されていない場合には、前記第４の管理テーブルを検索し、通信機器相互間で前記コンピュータネットワークを使用して呼制御情報とデータ変換を行なった通信情報を送受する手段とを具備することを特徴とする請求項１記載の通信システム。
【請求項５】
前記コンピュータネットワークは、複数のイーサネットもしくはＡＴＭを使用するローカルエリアネットワークと、前記複数のローカルエリアネットワークを接続するインターネットとをから構成されてなることを特徴とする請求項１記載の通信システム。
【請求項６】
前記交換制御手段は、前記コンピュータネットワークがインターネットに収容されている状態で、自己通信機器に収容された通信回線または自己通信機器に収容された内線端末およびコンピュータ端末が自己通信機器に収容されていない端末に対して発信した場合、発信側端末の電話番号と着信先端末の電話番号に応じて、前記コンピュータネットワークを介して接続するか、前記公衆網または専用線を介して接続するかを選択する手段を具備することを特徴とする請求項１または４または５記載の通信システム。
【請求項７】
前記交換制御手段は、前記呼制御情報に前記コンピュータネットワークを経由した発信、通信回線への着信呼の中継を禁止する情報を検出した場合、自己通信機器に収容された端末からの発信、または前記公衆網、専用線からの着信時に、前記コンピュータネットワークを介した他の通信機器との接続を禁止する手段を具備することを特徴とする請求項１記載の通信システム。
【発明の詳細な説明】
【０００１】
【発明の属する技術分野】
この発明は、パーソナルコンピュータ等のコンピュータ端末を利用して電話通信やファクシミリ送信等を行なう通信システムに関する。
【０００２】
【従来の技術】
周知のように、近時のパーソナルコンピュータ等の装置にあっては、このＰＣＭＣＩＡ(Personal Computer Memory Card International Association) カードスロットにファックスカード，モデムカード等を接続して、コンピュータを直接、加入者線に接続するものがある。この装置の場合、ファクシミリ送信やデータ通信等の機能毎にカードを用意する必要があり、機能を変える場合に、都度ＰＣＭＣＩＡカードを取り換えなければならず、単機能のシステムであるといえる。
【０００３】
また、加入者線を１台のコンピュータが独占してしまう欠点がある。一方、複数のコンピュータをローカルエリアネットワーク（インターネット）に接続し、ファクシミリ機能を有するゲートウェイ、あるいはデータ通信機能を有するゲートウェイを介して公衆網（ＰＳＴＮ）へ接続するものもある。ここでは、複数の端末がゲートウェイに接続されているので、これらの端末から別個に発信でき、加入者線を見かけ上共有できる。
【０００４】
しかしながら、各コンピュータ毎に電話番号が割り振られている訳ではないので、公衆網から各コンピュータ宛に直接には通信を行なうことができず、つまり、加入者線の共有が実現されていない。また、ゲートウェイもＰＣＭＣＩＡカードと同様に機能毎に用意する必要があり、つまり、このシステムも単機能である。
【０００５】
すなわち、上記通信システムでは、コンピュータが有している種々の通信機能を加入者線、あるいは内線を介して利用するためには、大型の複雑な設備を必要とし、コンピュータが有している種々の通信機能が充分活用されていない。また、加入者線あるいは内線を多数収容し、回線の有効利用を図るシステムとして構内交換システムが存在するが、コンピュータネットワーク上のコンピュータ端末と加入者線、内線電話との相互通信が行なえないという問題が生じている。
【０００６】
【発明が解決しようとする課題】
以上のように、従来の通信システムでは、データ種別の異なる端末同士で通信を行なう場合に、端末側でユーザが機能毎にゲートウェイもしくはＰＣＭＣＩＡカードを取り換えるという煩わしい作業を要するという問題を有している。さらに、コンピュータネットワークを用いた端末同士の相互通信を行なうことができないという不都合を有している。
【０００７】
この発明の目的は、人手を必要とせず、さらにコンピュータネットワークを使用してデータ種別の異なる端末もしくは同種端末同士で相互通信を行ない得る通信システムを提供することにある。
【０００８】
【課題を解決するための手段】
この発明に係る通信システムは、複数の端末を収容する公衆網または専用線を収容するとともに、内線端末を収容する第１の通信機器と、この第１の通信機器に一端側が接続されるとともに、複数のコンピュータ端末を収容するコンピュータネットワークと、このコンピュータネットワークの他端側に接続され、第１の通信機器と同一機能を有する第２の通信機器とを具備し、
第１，第２の通信機器は、公衆網，専用線及び内線端末を接続した複数チャネルからなる通話路ハイウェイを含む複数の通信回線を収容し、各通信回線の接続を行なう交換手段と、コンピュータネットワークと通話路ハイウェイとを接続し、コンピュータネットワークと通話路ハイウェイとの間で伝送データの形式を変換するとともに、コンピュータネットワークを介して相手側通信機器との間でデータの送受信を行なうデータ形式変換手段と、コンピュータネットワークを介して相手側通信機器に対して少なくとも発呼及び着信応答に関する情報を含む呼制御情報の送受を行なうとともに、発信側の端末及び着信先の端末のデータ種別に応じて、コンピュータネットワークを使用した接続を行なうように交換手段及びデータ形式変換手段を制御する交換制御手段とを具備し、
第１の通信機器に収容された公衆網または専用線の有する端末もしくは内線端末から第２の通信機器に収容された公衆網または専用線の有する端末もしくは内線端末へ発信した場合に、コンピュータネットワークを介して内線端末相互間を接続することを特徴とする。
【０００９】
この構成によれば、人手を介さずに通信機器側で自動的にコンピュータネットワークへの接続を実現でき、かつ既知の通信機器内の交換制御手段で接続を行なっているので、別途にコンピュータネットワークを接続するための装置を必要とせず設備が大型化することもなくなる。また、データ種別が異なる端末同士をコンピュータネットワークを介して接続し、相互通信を行なわせることが可能となる。
【００１０】
また、この発明に係る通信システムは、複数の端末を収容する公衆網，内線端末を収容するとともに、少なくとも１台のコンピュータ端末を接続するコンピュータネットワークを収容する第１の通信機器と、この第１の通信機器と同一機能を有する第２の通信機器と、一端側に前記第１の通信機器を接続するとともに、他端側に第２の通信機器を接続し、相互間で情報のやりとりを行なわせる相互接続通信回線とを具備し、
第１，第２の通信機器は、少なくとも公衆網，内線端末を接続した複数チャネルからなる通話路ハイウェイを含む複数の通信回線を収容し、各通信回線の接続を行なう交換手段と、コンピュータネットワークと通話路ハイウェイとを接続し、コンピュータネットワークと通話路ハイウェイとの間で伝送データの形式を変換するデータ変換手段と、相互接続通信回線と通話路ハイウェイとを接続する相互接続通信回線インターフェースとを具備し、相互接続通信回線としては、デジタル電話回線及びコンピュータネットワークのうち少なくとも１つを備えてなることを特徴とする。
【００１１】
この構成によれば、自己通信機器に収容された端末から相手側通信機器に収容された端末へ発信、または相手側通信機器に収容された端末からの着信時に、交換制御手段が相手側通信機器もしくは自己通信機器のＩＰアドレスを特定することにより、人手を介さずに自己通信機器に収容された端末と相手側通信機器に収容された端末とを相互接続通信回線を使用して接続することができる。さらに、データを相手側の端末に早急に送出するとともに、相手側の端末との接続処理に早急に対応することが可能となる。
【００１２】
【発明の実施の形態】
以下、この発明の実施の形態について図面を参照して詳細に説明する。
図１は、この発明のシステム概要を示している。
図１のシステムには、サービスエリア内に配置された電話機１１と、この電話機１１を収容する公衆網／専用線網１２と、この公衆網／専用線網１２を収容する通信機器１３，１４と、通信機器１３，１４とＬＡＮ(Local Area Network)１５，１６，１７及びインターネット１８を介して接続される通信機器１９とから構成されている。
【００１３】
通信機器１３，１４，１９は、内線端末２０〜２５として、標準電話機，デジタル電話機，ファクシミリ機及びＰＨＳ(Personal Handy Phone System) 基地局等を収容している。このうち、ＰＨＳ基地局は、ＰＨＳ端末と無線通信することで収容する。また、通信機器１３，１４，１９は、それぞれＬＡＮ１５〜１７を介してコンピュータ端末ＰＣ１〜ＰＣ３を収容している。
【００１４】
また、通信機器１３，１４，１９を接続するＬＡＮ１５，１６，１７は、例えばＡＴＭを使用した１つまたは複数のＬＡＮであり、インターネット１８は広域ネットワークである。また、ＬＡＮ１５，１６の間は、ゲートウェイ２６で接続されているが、ゲートウェイ２６を介さずに１つのネットワークで構成することも可能である。この場合、ＬＡＮ１５，１６の混雑を軽減するために、ゲートウェイ２６の代りにスイッチングハブなどを接続することでネットワークを構成することが考えられる。
【００１５】
また、ゲートウェイ２７，２８は、ＬＡＮ１５，１７とインターネット１８を接続するためのゲートウェイであり、ルータで構成してもよい。さらに、ゲートウェイ２７，２８とインターネット１８との間の回線は、ゲートウェイから直接公衆網／専用線網１２を接続しているが、通信機器１３，１４を内線として公衆網／専用線網１２に直接収容するようにしてもよい。
【００１６】
図２は、この発明の一実施の形態である通信機器の詳細を示している。
図２において、図中符号３１はＬＡＮ及びインターネットからなるコンピュータネットワークで、その一端側に通信機器３２を接続しており、その他端側に通信機器３３を接続している。
【００１７】
通信機器３２は、内線端末３４，局線３５及び専用線３６を収容している。すなわち、通信機器３２は、内線端末３４の発着信に伴い、この内線端末３４と局線３５との間、及び内線端末３４と専用線３６との間を択一的に接続する。さらに、局線３５と専用線３６との間を択一的に接続する。
【００１８】
また、通信機器３２は、交換機能を実現するタイムスイッチ３２１と、コンピュータネットワーク３１との間で信号の授受を行なうＬＡＮインターフェースと、局線３５を接続するトランク回路３２３と、専用線３６を接続するトランク回路３２４と、内線端末３４を接続するライン回路３２５と、ＬＡＮインターフェース３２２を介してコンピュータネットワーク３１に接続される回線／パケット変換装置３２６と、トランク回路３２３，３２４，ライン回路３２５，回線／パケット変換３２６及びタイムスイッチ３２１に制御ハイウェイ３２７を介して接続される交換制御装置３２８とから構成されている。また、それぞれの回路間の通話音声は、通話路ハイウェイ３２９で接続されている。
【００１９】
交換制御装置３２８は、ＣＰＵ(Central Processing Unit) ，ＲＯＭ(Read Only Memory)及びＲＡＭ(Random Access Memory)を内蔵しており、通信機器３２内の各回路の制御を行なうものである。
【００２０】
ライン回路３２５は、内線端末３４からの発信信号の検出や内線端末３４への着信信号の送出などのインターフェース動作を行なう。
トランク回路３２３，３２４は、局線３５及び専用線３６からの着信検出や発信時の局線３５及び専用線３６の捕捉などのインターフェース動作を行なう。
【００２１】
タイムスイッチ３２１は、トランク回路３２３，３２４，ライン回路３２５及び回線／パケット変換装置３２６のそれぞれの通話路を、交換制御装置３２８からの制御信号によって接続している。
【００２２】
ここで、コンピュータネットワーク３１に接続される回線／パケット変換装置３２６の個数は、１つに限らず、複数でもよい。また、回線／パケット変換装置３２６はあたかも通信機器３２内の１つのライン／トランク回路とみなされ、コンピュータネットワーク３１に収容されるコンピュータ端末はあたかも１つの内線端末、公衆網に接続される１つの通信端末とみなされる。
【００２３】
通話路ハイウェイ３２９は、複数チャネルを有し、例えば、各６４ｋｂｐｓの３２チャネル（タイムスロット）のデータを時分割多重し２Ｍｂｐｓの伝送能力を有する。そして、タイムスイッチ３２１から通話路ハイウェイ３２９を介して送受される６４ｋｂｐｓの回線データは、回線／パケット変換装置３２６によってコンピュータネットワーク３１で伝送されるパケットに変換される。
【００２４】
一方、通信機器３３は、内線端末３７，局線３８及び専用線３９を収容している。そして、通信機器３３は、ライン回路３３１と、トランク回路３３２，３３３と、ＬＡＮインターフェース３３４と、回線／パケット変換装置３３５と、タイムスイッチ３３６と、交換制御装置３３７とから構成されている。なお、通信機器３３の各構成回路は、通信機器３２の各構成回路と同一機能であるので、説明を省略する。
【００２５】
以下の説明では、ＬＡＮとしてイーサネット(Ethernet)を使用した一実施の形態を説明する。ＬＡＮ上の各コンピュータ端末は、ＴＣＰ(Transmission Control Protocol) ／ＩＰ(Internet Protocol) 通信を行なうとする。しかし、従来のコンピュータ端末とは異なり、ＩＰ／ＴＣＰアドレス以外にも、通常の電話機と同じように加入者番号（電話番号）を持っているとする。なお、通信機能を有する（モデムを内蔵）パーソナルコンピュータは、ライン回路に直接接続される。
【００２６】
図３は、回線／パケット変換装置３２６の詳細を示している。
図３において、タイムスイッチ３２１に接続される通話路ハイウェイ３２９がマルチプレクサ／デマルチプレクサ３２６ａに接続される。このため、通話路ハイウェイ３２９から供給される２Ｍｂｐｓのデータが３２のタイムスロット毎に各６４ｋｂｐｓのデータに分離され、以後、各スロットのデータがパケット化される。ここでは、タイムスロットＴＳ００〜ＴＳ０７の回線データがコンピュータネットワーク３１を介して他の通信機器との間で送受信されているとする。
【００２７】
マルチプレクサ／デマルチプレクサ３２６ａは、シリアル／パラレル変換装置３２６ｂを接続しており、パケット化したデータをシリアル／パラレル変換装置３２６ｂに出力している。シリアル／パラレル変換装置３２６ｂは、バッファ回路３２６ｃを接続しており、パケット化したデータを８ビットの並列データに変換して、バッファ回路３２６ｃに出力している。
【００２８】
バッファ回路３２６ｃは、シリアル／パラレル変換装置３２６ｂからの並列データを記憶しておき、交換制御装置３２８からの指示信号に基づいて出力する。バッファ回路３２６ｃから出力されたデータは、パケット化回路３２６ｄにてパケットに宛先ヘッダ等が付加され、ＬＡＮドライバ３２６ｅに供給される。このとき、パケット回路３２６ｄは、交換制御装置３２８からの指示信号に基づいて、データ変換も行なっている。
【００２９】
一方、ＬＡＮから供給されたパケットデータは、ＬＡＮドライバ３２６ｅを介してパケット分離回路３２６ｆにて宛先ヘッダ等を削除され、直列データに生成された後、バッファ回路３２６ｃを介してシリアル／パラレル変換装置３２６ｂに供給される。
【００３０】
シリアル／パラレル変換装置３２６ｂから出力される直列データは、マルチプレクサ／デマルチプレクサ３２６ａに供給され、通話路ハイウェイ３２９を介してタイムスイッチ３２１に送出される。ここで、パケット化回路３２６ｄは、回線データが音声データの場合、１６Ｋまたは８Ｋの音声データに圧縮して、ＬＡＮドライバ３２６ｅに送出する。また、パケット分離回路３２６ｆは、ＬＡＮドライバ３２６ｅで受信された音声パケットに対して、１６Ｋまたは８Ｋの音声データを６４Ｋの音声データに伸長し、無音パケットの除去を行い、ネットワークの負荷軽減と伝送遅延の軽減を図るようにしてもよい。
【００３１】
ここで、上記構成における通信機器３２の動作を説明する。
すなわち、上述したように、ＬＡＮとしてはEthernet方式が採用され、コンピュータネットワーク３１上の各コンピュータ端末及び通信機器はＴＣＰ／ＩＰ通信を行なう。このＴＣＰを補うものとして、ＵＤＰ(User Datagram Protocol)がある。ＩＰは、伝送経路の確立やネットワークアドレスとホストアドレスの定義によるネットワークの論理的管理を行なう。
【００３２】
交換制御装置３２８，３３７は、そのＲＯＭまたはＲＡＭに、図４に示すように、通信システムに接続される内線端末及びコンピュータネットワーク３１上のコンピュータ端末に付与された電話番号と、該端末に対して通信処理を行なう通信機器３２，３３のアドレスとを対応づけた端末管理テーブル４１を記憶している。
【００３３】
一方、この端末管理テーブル４１は、図５の端末管理テーブル４２に示す如く、各通信機器に収容される端末の電話番号の最初の何桁または市外局番の最初の何桁かを登録し、検索に登録された最初の桁で行なうことで、対応テーブル４２を記録するのに必要なメモリ量の削減と検索速度を向上することも可能である。
【００３４】
さらに、交換制御装置３２８，３３７は、そのＲＯＭまたはＲＡＭに、図６，図７に示す如く、回線／パケット変換装置３２６，３３５のそれぞれに接続される通話路ハイウェイ３２９，３３９のタイムスロット番号ＴＳ００〜ＴＳ０７毎の接続状況管理テーブル４３，４４を設けている。このうち、図６に示す接続状況管理テーブル４３は、自己通信機器に収容される端末または通信回線からコンピュータネットワーク３１を介して収容される他の通信機器に収容される端末、通信回線への発呼またはコンピュータネットワークを介して他の通信機器から自己通信機器に収容する端末、通信回線への着信が発生した際に、呼番号を付与した場合のテーブルである。
【００３５】
また、図７に示す接続状況管理テーブル４４は、他の通信機器と接続した呼毎に異なるＵＤＰポートあるいはＴＣＰポートを使用し、このポート番号を使用したテーブルである。
【００３６】
図６及び図７の接続状況管理テーブル４３，４４において、いずれの場合も、使用していないＴＳの該当する欄には、未使用を意味するＮＯＮＥが書き込まれている。
【００３７】
図８は、通信機器３２の交換制御装置３２８の動作を説明するためのフローチャートである。ここでは、通信機器３２に収容された内線端末３４から通信機器３３に収容された内線端末３７に着信する場合を説明する。
【００３８】
すなわち、内線端末３４（内線番号３０００）においてユーザが発呼操作を行ない、着信先の電話番号として５００１を入力すると（ステップＳ１１）、通信機器３２内の交換制御装置３２８は、ステップＳ１２で、端末管理テーブル４１を検索し、着信先の端末を収容する通信機器を検索する。
【００３９】
そして、交換制御装置３２８は、ステップ１３で、端末管理テーブル４１内に着信先の端末が登録されているか否かを検出し、登録されていない場合には（ＮＯ）、ステップＳ１４で、タイムスイッチ３２１に対して局線３５または専用線３６への接続指示を行なう。また、着信先の端末が通信機器３３に収容されていることを検出した場合（ＹＥＳ）、交換制御装置３２８は、ステップＳ１５で、通信機器３３に対する発呼手順を行なう。
【００４０】
この発呼手順として、ＩＳＤＮにおけるレイヤ３で規定されている呼制御手順におけるＱ９３１相当の発呼パケットを使用する。この発呼パケットは、発呼端末と宛先と呼種類とを示す情報を有し、コンピュータネットワーク３１を介して通信機器３３のＬＡＮインターフェース３３４、回線／パケット変換装置３３５内のＬＡＮドライバを経由して制御ハイウェイ３３８を通じて通信機器３３内の交換制御装置３３７に供給される。
【００４１】
次に、交換制御装置３２８は、ステップＳ１６で、接続状況管理テーブル４３，４４を検索し、ステップＳ１７で、通話路ハイウェイ３２９が全て使用中の場合には（ＮＯ）、ステップＳ１８で、発信端末または通信回線に対する切断処理またはコンピュータネットワーク３１を介して接続された通信機器３３に対する切断処理を行なう。切断処理を行なった後、交換制御装置３２８は、ステップＳ１４で、局線３５または専用線３６への接続指示を行なう。
【００４２】
そして、上記接続状況管理テーブル４３，４４に空きタイムスロットがある場合（ＹＥＳ）、交換制御装置３２８は、ステップＳ１９で、着信先の通信機器３３からの応答パケットを受信したか否かの判定を行なう。
【００４３】
一方、通信機器３３内の交換制御装置３３７は、通信機器３２から発呼パケットを受信すると、通信機器３２内の交換制御装置３２８と同様、接続状況管理テーブル４３，４４を検索し、空きタイムスロットを検出した場合に、この空きタイムスロットに着信先の内線端末３７の音声パケットを接続するとともに、着信先の内線端末３７からの応答を応答パケットにして、通信機器３２へ送出する。
【００４４】
そして、ステップＳ１９において、通信機器３３からの応答パケットを受信した場合（ＹＥＳ）、交換制御装置３２８は、ステップＳ２０で、接続状況管理テーブル４３，４４内の空きタイムスロット（ここでは、タイムスロットＴＳ０３）の接続先の通信機器のアドレスとポートに、通信先の通信機器のＩＰアドレス／ポートアドレス（Ａ．Ｂ．Ｃ１．Ｄ０／ＵＤＰ３）を書き込むとともに、タイムスイッチ３２１に対して、内線端末３４をタイムスロットＴＳ０３に接続するように指示する。
【００４５】
以後、ステップＳ２１で、内線端末３４と内線端末３７との間で送受される音声データが回線／パケット変換装置３２６，３３５によってパケット化され、ＬＡＮインターフェース３２２，コンピュータネットワーク３１を通じて通信機器３３と送受され、内線端末３４と内線端末３７との間の通話が可能となる。
【００４６】
また、通信機器３２の内線端末３４とコンピュータネットワーク３１上に収容されたコンピュータ端末とを接続する場合も、上記の動作で行なうことが可能である。なお、コンピュータ端末の場合、１つの機器で音声データのほか、Ｇ３ＦＡＸデータ，Ｇ４ＦＡＸデータ等の複数の種別のベアラサービスを行なうことができる。このため、他の通信機器からコンピュータネットワーク３１を介して接続要求がなされた場合、コンピュータ端末とのデータ変換が必要となる。
【００４７】
そこで、交換制御装置３２８には、そのＲＯＭまたはＲＡＭに図９に示す如く、電話番号，ＩＰアドレス，ＴＣＰ／ＵＤＰポート番号及び呼種別を対応づけたデータ変換管理テーブル４５を設けている。すなわち、交換制御装置３２８は、データ変換管理テーブル４５を参照して、回線／パケット変換装置３２６に対して各データ種別に応じたデータ変換を行なうように指示する。これにより、回線／パケット変換装置３２６は、内線端末３４からの発呼を、コンピュータ端末に応じたパケット形式に変換して受信パケットを着信先のコンピュータ端末へ送出する。
【００４８】
また、コンピュータ端末同士の相互間で通信を行なう場合、コンピュータ端末は、コンピュータネットワーク３１を介して直接データを送受することが可能であるため、通信機器３２に対して発呼処理を行ない、着信先端末のＩＰアドレスを取得した後、回線データを互いに送受することで通信機器３２，３３を介さずに回線データを送受することも可能である。
【００４９】
さらに、コンピュータネットワーク３１がインターネットに接続されている場合には、通信機器相互間で送受される回線パケットをインターネット経由で送出することで通信コストの低い通信システムを構築可能であるが、音声のように伝達遅延に著しく通信品質が低下する通信の場合、公衆網あるいは専用線を優先して使用するように対応が必要である。
【００５０】
このため、着信先の端末番号，発信側の端末番号，着信先の端末番号と発信側の端末番号とに応じて、コンピュータネットワーク３１を使用するか公衆網／専用線を介して発信するかという対応テーブルが必要となる。
【００５１】
そこで、この発明の第２の実施の形態として、交換制御装置３２８，３３７内のＲＯＭまたはＲＡＭに、図１０に示す如くコンピュータネットワーク３１を優先して接続するためのコンピュータネットワーク優先テーブル４６を設けている。
【００５２】
コンピュータネットワーク優先テーブル４６は、これに登録された電話番号に対する発信または着信時にコンピュータネットワーク３１を介して通信するテーブルである。この例とは逆に記載された電話番号に対する発信または着信を公衆網／専用線を使用して通信する構成としてもよい。また、コンピュータネットワーク優先テーブル４６に登録する電話番号は、ＦＡＸ端末、データ通信を行なう端末が想定されるが、音声端末を登録してもよい。さらに、データ通信を行なう場合でも、機密保持の点からインターネットを介さずに通信するため、コンピュータネットワーク優先テーブル４６の登録から削除してもよい。
【００５３】
図１１は、上記第２の実施の形態における交換制御装置３２８の発信時の動作を説明するために示すフローチャートである。
すなわち、ユーザが内線端末３４（内線番号３０００）において、着信先の内線端末３７（内線番号５００１）へ発信すると（ステップＳ３１）、通信機器３２内の交換制御装置３２８は、ステップＳ３２で、端末管理テーブル４１を検索し、着信先の端末を収容する通信機器を検索する。ここでは、自己通信機器に収容されていない着信先の端末を検索している。
【００５４】
そして、交換制御装置３２８は、ステップＳ３３で、着信先の内線端末３７を収容する通信機器３３を検索すると（ＹＥＳ）、ステップＳ３４で、コンピュータネットワーク優先テーブル４６を検索し、ステップＳ３５で、発信側の電話番号または着信先の電話番号が登録されているか否かの判別を行なう。ここで、登録されていないと判定された場合（ＮＯ）、交換制御装置３２８は、ステップＳ３６で、トランク回路３２３，３２４に対して局線３５である公衆網または専用線３６への接続指示を行ない、局線３５または専用線３６を使用して発呼し、回線交換を行なわせる。
【００５５】
また、ステップＳ３５において、登録されていると判定された場合（ＹＥＳ）、交換制御装置３２８は、ステップＳ３７，Ｓ３８で、コンピュータネットワーク３１を介して着信先の通信機器３３へ発呼パケットを送出するとともに、接続状況管理テーブル４３，４４を検索する。
【００５６】
そして、ステップＳ３９，Ｓ４０で、通話路ハイウェイ３２９に空きタイムスロットが存在し、かつ着信先の通信機器３３からの応答パケットの受信があった場合（ＹＥＳ）、交換制御装置３２８は、ステップＳ４１で、タイムスイッチ３２１に対して、内線端末３４をタイムスロットに接続するように指示し、これにより、回線データをパケットに変換して、通信機器３３との間で送受を行なう。
【００５７】
また、ステップＳ３９，Ｓ４０で、空きタイムスロットがなく、着信先の通信機器３３からの応答パケットの受信がない場合（ＮＯ），交換制御装置３２８は、ステップＳ４２で、発信端末または通信回線に対する切断処理またはコンピュータネットワーク３１を介して接続された通信機器３３に対する切断処理を行ない、ステップＳ３６で、局線３５または専用線３６を使用して通信を行なう。
【００５８】
なお、交換制御装置３２８は、着信時においても、上記と同様な動作を行なう。
また、自己通信機器に収容される端末からの発信または自己通信機器に収容される通信回線からの着信の際に、公衆網または専用線から発信端末の番号が送られた場合について説明する。
【００５９】
すなわち、通信機器３２内の交換制御装置３２８は、内線端末３４が着信先に公衆網または専用線を使用して発信した場合、端末管理テーブル４１から着信先端末を収容する通信機器を検索し、着信先端末が他の通信機器に収容されている場合、まず発信側端末の番号がコンピュータネットワーク優先テーブル４６に登録されているか検索する。そして、登録されている場合に、コンピュータネットワーク３１を介して他の通信機器と通信し、登録されていない場合に、局線３５または専用線３６を使用して発呼し、回線交換を行なう。なお、内線端末３４宛に着信がかけられた場合も同様である。
【００６０】
次に、発信側端末からデータ種別が送られた場合の例を説明する。
ここでは、交換制御装置３２８，３３７は、そのＲＡＭまたはＲＯＭに、図１２に示す如く、データ種別管理テーブル４７を設けている。このデータ種別管理テーブル４７に登録されているデータ種別には、例えばＰＨＳデータ，ＭＯＤＥＭデータ，Ｇ３ＦＡＸデータ等がある。
【００６１】
すなわち、交換制御装置３２８は、自己通信機器に収容される端末からの発信または自己通信機器に収容される通信回線からの着信の際に、まず、着信先端末または相手側発信端末を端末管理テーブル４１から検索する。検索した結果、着信先端末または相手側発信端末が他の通信機器に収容されており、自己発信端末または相手側発信端末からデータ種別の情報が送出された場合、交換制御装置３２８は、データ種別管理テーブル４７から要求されたデータ種別が登録されているかを検索する。
【００６２】
そして、要求されたデータ種別が登録されている場合、交換制御装置３２８は、前記手順によって、コンピュータネットワーク３１を介して発呼パケット、回線データをパケットに変換して、他の通信機器との間で送受させる。また、登録されていない場合、公衆網、専用線を使用して発呼し、回線交換を行なわせる。なお、データ種別だけでなく電話番号を使用した方式と組み合わせて行なってもよい。
【００６３】
なお、上記の方法は、交換制御装置３２８内のコンピュータネットワーク優先テーブル４６に番号が登録されていれば、この番号を有する端末が発信または着信した際に、自動的にコンピュータネットワーク３１を介して接続している。
【００６４】
一方では、コンピュータネットワーク３１を使用した接続を規制する方法もある。これは、交換制御装置３２８内のＲＡＭまたはＲＯＭに、コンピュータネットワーク３１の使用を規制するためのテーブルを設け、このテーブルに登録されている番号を有する端末に対して、自己通信機器に収容された端末からの発信、または公衆網／専用線からの着信時に、コンピュータネットワーク３１を介した他の通信機器との接続を禁止するものである。また、端末側が発信の際に、コンピュータネットワーク３１を経由した接続を禁止するような情報を同時に送出するようにしてもよい。
【００６５】
また、上記第２の実施の形態では、通信機器３２に収容されている内線端末３４に対する発着信について説明しているが、公衆網である局線３５または専用線３６に収容された端末に対しても、同様に実施できる。
【００６６】
例えば、局線３５に収容された端末が、通信機器３３に収容されている端末へ発呼を送出した場合、発信側の端末からの送信データは、近辺に位置する通信機器３２へ送出される。そして、通信機器３２の交換制御装置３２８は、端末管理テーブル４１から発信側及び着信先の番号を検索し、どちらも登録されている場合に、コンピュータネットワーク優先テーブル４６もしくはデータ種別管理テーブル４７を検索する。
【００６７】
ここで、いずれか一方が登録されている場合に、交換制御装置３２８は、通信機器３３へ発呼パケットを送出するように、回線／パケット変換装置３２６に指示を出すとともに、発信側の端末とコンピュータネットワーク３１とを接続するように、回線／パケット変換装置３２６に指示を出す。以後、発信側の端末は、コンピュータネットワーク３１を介して着信先の端末へデータを送信することになる。また、着信先の端末が通信機器３３近辺の局線３８に収容されている場合も、同様に実施できる。
【００６８】
以上のように、上記第１，第２の実施の形態によれば、既知の通信機器３２，３３内の交換制御装置３２８，３３７に端末管理テーブル４１、接続状況管理テーブル４３，４４を設けるようにしたので、通信機器３２に収容されている内線端末３４が通信機器３３の局線３５，専用線３６または内線端末３７へ発信、もしくは局線３５，専用線３６または内線端末３７からの着信の際に、交換制御装置３２８内のＣＰＵが端末管理テーブル４１、接続状況管理テーブル４３，４４を検索し、登録され、かつ空きタイムスロットがある場合に、内線端末３４，３７をコンピュータネットワーク３１を介して接続することができる。
【００６９】
このため、人手を介さずに通信機器側で自動的にコンピュータネットワーク３１への接続を実現でき、かつ既知の通信機器３２内の交換制御装置３２８で接続を行なっているので、別途にコンピュータネットワーク３１を接続するための装置を必要とせず設備が大型化することもない。
【００７０】
また、通信機器３２，３３内の交換制御装置３２８，３３７にデータ変換管理テーブル４５を設けているので、通信機器３２に収容された内線端末が通信機器３３に収容されるコンピュータ端末へ発信、またはコンピュータ端末からの着信時に、交換制御装置３２８内のＣＰＵがデータ変換管理テーブル４５を検索し、この検索結果を回線／パケット変換装置３２６に与えることにより、回線／パケット変換装置３２６がデータ変換を行なう。
【００７１】
このため、データ種別が異なる端末同士をコンピュータネットワーク３１を介して接続し、相互通信を行なわせることが可能となる。
さらに、通信機器３２，３３内の交換制御装置３２８，３３７にコンピュータネットワーク優先テーブル４６及びデータ種別管理テーブル４７を設け、交換制御装置３２８，３３７のＣＰＵがコンピュータネットワーク優先テーブル４６及びデータ種別管理テーブル４７を検索し、この検索結果に基づいて、発信側の端末と着信側の端末とをコンピュータネットワーク３１を介して接続を行なうようにしているので、通信コストの低い通信システムを構築することが可能となる。さらに、コンピュータネットワーク優先テーブル４６及びデータ種別管理テーブル４７に基づいて、コンピュータネットワーク３１を介して接続するか、公衆網または専用線を介して接続するかを選択することで、柔軟な通信システムを構築することが可能となる。
【００７２】
図１３は、この発明の第３の実施の形態であるシステム全体を示している。ここでは、複数の通信機器それぞれに接続されたコンピュータネットワーク上のコンビュータ端末相互間の種々のデータ通信を行うシステムを示している。
【００７３】
図１３のシステムは、通信機器５１，５２と、この通信機器５１，５２を接続する接続回線５３とから構成されている。通信機器５１には、ＬＡＮであるコンピュータネットワーク５４、公衆網５５、内線端末５６が接続されている。
【００７４】
また、通信機器５１は、交換機能を実現するタイムスイッチ５１１と、コンピュータネットワーク５４との間で信号の授受を行なうＬＡＮインターフェース５１２と、公衆網５５に接続される加入者線トランク回路５１３と、内線端末５６に接続される内線ライン回路５１４と、ＬＡＮインターフェース５１２を介してコンピュータネットワーク５４に接続され、通信機器５１内の通話路ハイウェイ５１５上で伝送するためのＨＷデータとＬＡＮ上で伝送するためのパケットデータとの変換を行なう回線／パケット変換器５１６と、他の通信機器５２との接続を行なう接続回線５３を収容する接続回線インターフェース５１７と、加入者トランク回路５１３，内線ライン回路５１４、回線／パケット変換器５１６、接続回線インタフェース５１７、タイムスイッチ５１１に制御ハイウェイ５１８を介して接続される交換制御装置 (ＣＰＵ，ＲＯＭ，ＲＡＭを内蔵する) ５１９とを有する。
【００７５】
なお、通信機器５１内の各回路において、上記図２に示す通信機器３２内の各回路と同一機能を有するので、説明を省略する。
図１４は、接続回線５３にＩＳＤＮを用いた場合に、ＩＳＤＮのＢチャネルの６４ｋｂｐｓ転送速度と図示しないコンピュータ端末からの非同期式データ転送速度との速度変換方式としてＶ．１１０方式を採用したＩＳＤＮ用の接続回線インタフェース５１７の詳細を示している。
【００７６】
まず、非同期インターフェースから送出された非同期データは、ＩＳＤＮ用の接続回線インタフェース５１７内の速度変換部５１７ａにてストップビットを付加され、６００ｂｐｓ、 １２００ｂｐｓ、 ２４００ｂｐｓ、 ４８００ｂｐｓ、 ９６００ｂｐｓ、１９２００ｂｐｓのいずれかに近い同期速度に変換される。続いて、同期速度に変換されたデータは、速度変換部５１７ｂにて８Ｏビットのフレームの中に埋め込まれることにより、８ｋｂｐｓ、１６ｋｂｐｓ、３２ｋｂｐｓのいずれかの速度（中間速度）に変換される。最後に、中間速度に変換された８０ビットのフレームデータは、速度変換部５１７ｃにて中間速度が８ｋｂｐｓ、１６ｋｂｐｓ、３２ｋｂｐｓの場合、それぞれ１、２、４ビットに区切ってＢチャネルの８ビットのいずれかに挿入することにより６４ｋｂｐｓの速度への変換が行なわれる。
【００７７】
図１５は、接続回線５３にＯＣＮ(Open Computer Network) を用いた場合に、ＯＣＮへの１．５Ｍｂｐｓアクセス用の接続回線インタフェース５１７を含むＯＣＮのネットワーク構成を示している。
【００７８】
すなわち、１．５Ｍｂｐｓアクセス用の接続回線インターフェース５１７は、ルータ５７を介して高速系ＯＣＮ網 (１．５Ｍｂｐｓ、６Ｍｂｐｓのアクセス回線を収容) ５８に接続される。高速系ＯＣＮ網５８は、ＡＴＭ網５９を介して低速系ＯＣＮ網（１２８ｋｂｐｓのアクセス回線、ＩＳＤＮ回線等のダイアルアップ回線を収容）６０に接続されるとともに、中継ルータ６１を介してインターネット６２に接続される。高速系、低速系ＯＣＮ網５８，６０ともアクセス回線を収容する加入者ルータと、この加入者ルータを束ねる中継ルータという基本構成からなっている。
【００７９】
図１６は、上記図１３のシステムにおける通信機器及びコンピュータ端末にＩＰアドレス及び電話番号を持たせた場合のシステム構成を示しており、図１７は、上記交換制御装置５１９のＲＡＭまたはＲＯＭに格納される端末管理テーブル７１を示している。
【００８０】
ここでは、コンピュータネットワークとしてイーサネットが用いられ、各コンピュー夕端末は、ＴＣＰ／ＩＰ通信を行なうとする。また、コンピュータ端末は、従来とは異なり、ＩＰアドレス以外にも通常の電話機と同じように加入者番号
（内線番号）を持っている。また、通信機器もＩＰアドレスを持っている。
【００８１】
そこで、通信機器５１内の交換制御装置５１９は、接続通信回線３５により接続された他の通信機器５２に収容されるコンピュータネットワーク上のコンピュータ端末の電話番号と、他の通信機器５２のＩＰアドレスとを対応させて保持し、自己通信機器５１に接続されるコンピュータネットワーク５４上のコンピュータ端末の電話番号と、コンピュータ端末のデータの種類ごとのＩＰアドレスとを対応させて保持するために、図１７に示す如く端末管理テーブル７１を記憶している。
【００８２】
なお、各端末には単一のＩＰアドレスが割り当てられており、さらに呼種別毎に異なるポートアドレスが割り当てられ、通信データの種類毎に異なるアドレスが割り当てられることになる。
【００８３】
まず、この第３の実施の形態の動作として、他の通信機器５２から自己通信機器５１に接続されたコンピュータネットワーク５４上のコンピュータ端末へデータが送信される場合を示す。
【００８４】
通信機器５１は、接続回線５３に用いられるＩＳＤＮの回線からＶ．１１０方式を採用したＩＳＤＮ用の接続回線インタフェース、あるいはＯＣＮから１．５ＭｂｐｓＯＣＮアクセス用の接続回線インターフェース５１７を介し、タイムスイッチ５１１に到来したデータを、交換制御装置５１９の制御によりデータに示された宛先電話番号と、前記端末管理テーブル７１とから宛先コンピュータ端末のアドレスを特定し、このアドレスをデータに付与して回線パケット／変換器５１６へ送出する。この場合の宛先コンピュータ端末は、自己通信機器５１に収容されるコンピュータ端末である。
【００８５】
回線／パケット変換器５１６は、データの種類に応じ、宛先のコンピュータ端末が処理可能な形式のデータに変換する。変換されたデータは、ＬＡＮインターフェース５１２、コンピュータネットワーク５４を介して、宛先のコンピュータ端末へ到達する。
【００８６】
続いて、この第３の実施の形態の動作として、自己通信機器５１に接続されたコンピュータネットワーク５４上のコンピュータ端末から他の通信機器５２ヘデータが送信される場合を示す。
【００８７】
交換制御装置５１９は、コンピュータネットワーク５４からＬＡＮインターフェース５１２を介し、回線／パケット変換器５１６により通信機器５１内の通話路ハイウェイ５１５上で伝送するためのＨＷデータに変換され、タイムスイッチ５１１に到来したデータを検出し、該データに示された宛先電話番号と端末管理テーブル７１とから宛先コンピュータ端末が接続する他の通信機器５２のＩＰアドレスを特定し、このデータに他の通信機器５２のＩＰアドレスを付与する。
【００８８】
ＩＰアドレスを付与されたデータは、Ｖ．１１０方式を採用したＩＳＤＮ用の接続回線インターフェース５１７、ＩＳＤＮ回線を介し、あるいは、１．５ＭｂｐｓＯＣＮアクセス用の接続回線インターフェース、ＯＣＮを介し、他の通信機器５２へ到達される。
【００８９】
また、交換制御装置５１９は、コンピュータネットワーク５４からタイムスイッチ５１１に到来したデータを検出し、宛先電話番号と端末管理テーブル７１とから宛先コンピュータ端末自体のＩＰアドレスを特定した場合、当該データに宛先コンピュータ端末のＩＰアドレスを付与する。そして、タイムスイッチ５１１は、ＩＰアドレスを付与されたデータを回線／パケット変換器５１６に送出する。
【００９０】
回線／パケット変換器５１６は、宛先のコンピュータ端末の機能とデータの種類とに応じて、ＩＰアドレスを付与されたデータを宛先のコンピュータ端末が処理可能な形式のデータに変換し、ＬＡＮインターフェース５１２及びコンピュータネットワーク５４を介して、相手側通信機器に収容される宛先のコンピュータ端末へ送出する。
【００９１】
以上のように、上記第３の実施の形態によれば、通信機器５１内に接続回線インターフェース５１５と、交換制御装置５１９内に端末管理テーブル７１とを備え、接続回線インターフェース５１５を介して他の通信機器５２とＩＳＤＮ回線を使用して接続しているので、通信機器５１に収容された端末から通信機器５２に収容された端末へ発信、または通信機器５２に収容された端末からの着信時に、交換制御装置５１９内のＣＰＵが端末管理テーブル７１を検索し、端末管理テーブル７１から相手側通信機器もしくは自己通信機器のＩＰアドレスが特定された場合に、人手を介さずに通信機器５１に収容された端末と通信機器５２に収容された端末とをＩＳＤＮ回線を使用して接続することができる。また、データを相手側の端末に早急に送出するとともに、相手側の端末との接続処理に早急に対応することが可能となる。
【００９２】
また、自己通信機器５１に収容されたコンピュータ端末からコンピュータネットワーク５４を介して到来したデータに対して、交換制御装置５１９が端末管理テーブル７１からコンピュータ端末のＩＰアドレスを検索した場合に、コンピュータネットワーク５４を使用して相手側通信機器に収容されるコンピュータ端末と通信し、コンピュータ端末を収容した通信機器のＩＰアドレスを検索した場合に、相互接続回線５３を使用して相手側通信機器に収容されるコンピュータ端末と通信することができ、これにより、検索状況に応じて、相手側のコンピュータ端末との接続処理に早急かつ柔軟に対応することが可能となる。
【００９３】
さらに、接続回線インターフェース５１５を介して他の通信機器５２とＯＣＮを使用して接続しているので、通信機器５１に収容されている例えば利用頻度の少ない端末に対しても、通信コストの低い通信システムを提供することができる。
【００９４】
【発明の効果】
以上詳述したようにこの発明によれば、人手を必要とせず、さらにコンピュータネットワークを使用してデータ種別の異なる端末もしくは同種端末同士で相互通信を行ない得る通信システムを提供することができる。
【図面の簡単な説明】
【図１】この発明のシステム概要を示す図。
【図２】この発明の一実施の形態を示すブロック構成図。
【図３】同実施の形態における通信機器の回線／パケット変換装置の詳細を示すブロック構成図。
【図４】同実施の形態における通信機器の交換制御装置内に設けられた端末管理テーブルを説明するために示す図。
【図５】同実施の形態における通信機器の交換制御装置内に設けられた端末管理テーブルの他の例を説明するために示す図。
【図６】同実施の形態における通信機器の交換制御装置内に設けられた接続状況管理テーブルを説明するために示す図。
【図７】同実施の形態における通信機器の交換制御装置内に設けられた接続状況管理テーブルの他の例を説明するために示す図。
【図８】同実施の形態における通信機器の交換制御装置の動作を説明するために示すフローチャート。
【図９】同実施の形態における通信機器の交換制御装置内に設けられたデータ変換管理テーブルを説明するために示す図。
【図１０】この発明の第２の実施の形態において、通信機器の交換制御装置内に設けられたコンピュータネットワーク優先テーブルを説明するために示す図。
【図１１】同第２の実施の形態における通信機器内の交換制御装置の動作を説明するために示すフローチャート。
【図１２】同第２の実施の形態における通信機器の交換制御装置内に設けられたデータ種別管理テーブルを説明するために示す図。
【図１３】この発明の第３の実施の形態を示すシステム構成図。
【図１４】同第３の実施の形態において接続回線にＩＳＤＮ回線を使用した場合の通信機器の接続回線インターフェースの詳細を示すブロック構成図。
【図１５】同第３の実施の形態において接続回線にＯＣＮを使用した場合のシステム構成図。
【図１６】同第３の実施の形態における通信機器及びコンピュータ端末にアドレスを割り当てた場合のシステム構成図。
【図１７】同第３の実施の形態における通信機器の交換制御装置内に設けられた端末管理テーブルを説明するために示す図。
【符号の説明】
３１，５４…コンピュータネットワーク、
３２，３３，５１，５２…通信機器、
３４，３７…内線端末、
３５，３８…局線、
３６，３９…専用線、
３２１，３３６，５１１…タイムスイッチ、
３２２，３３４…ＬＡＮインターフェース、
３２６，３３５…回線／パケット変換装置、
３２７，３３８…制御ハイウェイ、
３２８，３３７，５１９…交換制御装置、
３２９，３３９…通話路ハイウェイ、
４１，４２…端末管理テーブル、
４３，４４…接続状況管理テーブル、
４５…データ変換管理テーブル、
４６…コンピュータネットワーク優先テーブル、
４７…データ種別管理テーブル、
５１７…接続回線インターフェース、
５３…接続回線。
【図１】
0003708656.tif 000002
【図２】
0003708656.tif 000003
【図３】
0003708656.tif 000004
【図４】
0003708656.tif 000005
【図５】
0003708656.tif 000006
【図６】
0003708656.tif 000007
【図７】
0003708656.tif 000008
【図８】
0003708656.tif 000009
【図９】
0003708656.tif 000010
【図１０】
0003708656.tif 000011
【図１１】
0003708656.tif 000012
【図１２】
0003708656.tif 000013
【図１３】
0003708656.tif 000014
【図１４】
0003708656.tif 000015
【図１５】
0003708656.tif 000016
【図１６】
0003708656.tif 000017
【図１７】
0003708656.tif 000018